(57)【要約】【課題】良好な操作性を有し、被覆にダメージを与えることなく配電線を張線可能な張線器を提供し、配電線工事における安全確保および作業の効率化を図ることを目的とする。【解決手段】本発明にかかる張線器１００は、連結部１３０、１３２の両端に、電線または周辺の任意の物体に固定される固定部１１０、１１２、１２０と、両端の固定部間の距離を変更して保持する引張保持部１４０とを備え、少なくとも一方の固定部１１０、１１２、１２０は、電線を巻回して固定される螺旋状のグリップ１１０であることを特徴とする。【選択図】  図２
2010220322.tif 000002
【特許請求の範囲】
【請求項１】
連結部の両端に、電線または周辺の任意の物体に固定される固定部と、
前記両端の固定部間の距離を変更して保持する引張保持部とを備え、
少なくとも一方の前記固定部は、前記電線を巻回して固定される螺旋状のグリップであることを特徴とする張線器。
【請求項２】
一方の前記固定部は前記電線を巻回して固定される螺旋状の前記グリップであって、
他方の前記固定部は前記グリップとは寸法の異なる螺旋状のグリップまたはフックであることを特徴とする請求項１に記載の張線器。
【請求項３】
前記固定部のいずれか一方または両方は、前記連結部に対して着脱および交換可能であることを特徴とする請求項１に記載の張線器。
【請求項４】
前記連結部は、一方の前記固定部と連結する第１連結部材と、他方の前記固定部と連結する第２連結部材とからなり、
前記引張保持部は、前記第１連結部材に取り付けられ、前記第２連結部材の異なる接続位置に移動可能であることを特徴とする請求項１に記載の張線器。
【請求項５】
前記引張保持部は、前記第２連結部材に対する接続位置の移動を、前記両端の固定部間の距離が狭まる方向のみに制限する一方向制限機構を有することを特徴とする請求項４に記載の張線器。
【請求項６】
前記第１連結部材および前記第２連結部材は帯状のベルトであって、
前記引張保持部は、バックルであることを特徴とする請求項４に記載の張線器。
【請求項７】
前記グリップは、絶縁被覆されていることを特徴とする請求項１に記載の張線器。
【発明の詳細な説明】
【技術分野】
【０００１】
本発明は、架空電線工事等において電線を張線する張線器に関するものである。
【背景技術】
【０００２】
電気事業者の発電所にて発電され、変電所にて変電された電気は、電柱に張架された電線を通じて需要家に供給される。電線（配電線）から住宅等の建物に対しては、その住宅に最も近い位置の電線に引込線（ＤＶ線）を接続し、引込線の他端を建物に備え付けられた引込線取付点に接続している。なお、配電線に直接接続する場合に限らず、柱上変圧器の２次側に接続される場合もある。
【０００３】
引込線取付点は電気メータの１次側にあり、電気メータは検針員が見えるように地上近くにある。しかし引込線はトラック等が引っかけたりしないように、電線と同様に地上５ｍ以上の高さに設置することになっている。このため引込線は、まず建物の上方（例えば２階や３階の軒下）の引込線取付点に接続した上で、建物に沿って引き下ろして、電気メータに接続する。
【０００４】
また引込線には銅を芯線とする２本または３本の縒線（ＤＶ線）や、縒線を更に被覆で覆ったケーブル（ＳＶ線）がある。ＳＶ線は相応の重量があるため、配電線と建物の間に鋼縒線を張って、この鋼縒線に引込線（ＳＶ線）を吊下する場合もある。
【０００５】
このように、引込線の設置、改修、撤去作業にあたっては、高所作業車（バケット車）に乗ったり、長い梯子を利用したりして、高所で作業することとなる。しかし上記のように荷重のある引込線を引っ張る必要があるため、作業は難しいものになる。
【０００６】
具体的には、現在、引込線改修工事は、各家庭の２階付近に一端が固定された鋼縒線を、引込線とロープで連結して固定することにより行われる。この連結作業時、作業者は、鋼縒線と引込線を把持して、ロープで連結しなければならず、辛い体勢を強いられてしまう。加えて、作業をスムーズに行うには、ある程度の熟練を要する。また、引込線撤去工事には、引込線を切断すると、これを支持している作業者に重みが一気にかかるため、引込線や作業者が落下してしまうおそれもあった。
【０００７】
一方、線材を引っ張るための工具として、張線器が広く使用されている。張線器は単なるワイヤーを引くためのものや、電柱などにおいて使用される高圧配電線を引くためのものがある。高圧配電線用の張線器としては、従来から様々な検討がなされ、種々の技術が開示されている（例えば特許文献１、特許文献２）。
【先行技術文献】
【特許文献】
【０００８】
【特許文献１】特開２００４−３５７４０７号公報
【特許文献２】特開平１１−１０３５１３号公報
【発明の概要】
【発明が解決しようとする課題】
【０００９】
しかしながら、従来の張線器は、対象たる電線を治具によって挟んで保持するものであった。一方、引込線は３本の電線が寄り合わされた比較的細い電線であり、張線器によって挟持すると被覆が損傷してしまうおそれがある。このため、従来の張線器を引込線に使用することはできず、使用対象は太くて丈夫な高圧配電線等に限定されていた。
【００１０】
更に、従来の張線器は自重が重く（例えば、５ｋｇ程度）、容易に作業を行うことができなかった。特に作業スペースが確保しにくい一般住宅などの工事においては、重量のある張線器を設置する場所もなく、中空で作業するには重すぎるという問題がある。
【００１１】
そこで、本発明は、良好な操作性を有し、被覆にダメージを与えることなく配電線を引っ張ることのできる張線器を提供し、配電線工事における安全確保および作業の効率化を図ることを目的とする。
【課題を解決するための手段】
【００１２】
上記課題を解決するために、本発明にかかる張線器の代表的な構成は、連結部の両端に、電線または周辺の任意の物体に固定される固定部と、両端の固定部間の距離を変更して保持する引張保持部とを備え、少なくとも一方の固定部は、電線を巻回して固定される螺旋状のグリップであることを特徴とする。
【００１３】
かかる構成によれば、巻回して固定する方式を採用したため、被覆にダメージを与えてしまうおそれを排除できる。そのため、従来手作業で行われていた引込線（ＤＶ線）等の細い電線をも張線可能となり、安全確保および作業の効率化を図れる。
【００１４】
一方の固定部は電線を巻回して固定される螺旋状のグリップであって、他方の固定部は寸法の異なる螺旋状のグリップまたはフックであるとよい。これにより、当該張線器を任意の物体に固定して電線を引くことができる。
【００１５】
固定部のいずれか一方または両方は、連結部に対して着脱および交換可能であるとよい。これにより、電線や周囲の任意の物体に応じて固定部を選択することができ、現場によって適宜使用を変更することができる。
【００１６】
連結部は、一方の固定部と連結する第１連結部材と、他方の固定部と連結する第２連結部材とからなり、引張保持部は、第１連結部材に取り付けられ、第２連結部材の異なる接続位置に移動可能であるとよい。これにより、両端の固定部を電線と周辺にそれぞれ固定した後に、電線を引き寄せて保持することができる。
【００１７】
引張保持部は、第２連結部材に対する接続位置の移動を、両端の固定部間の距離が狭まる方向のみに制限する一方向制限機構を有するとよい。これにより、引張保持部を第２連結部材に沿って移動させるのみで、電線を引き寄せて保持することができる。また、固定部間の距離が広がる方向の移動は制限されることから、電線の自重によって電線が弛んでしまうことを防止できる。
【００１８】
第１連結部材および第２連結部材は帯状のベルトであって、引張保持部は、バックルであるとよい。これにより、当該張線器を極めて簡略な構造とすることができるため、飛躍的な軽量化を図ることができ、高所作業においても容易に取り扱うことができる。
【００１９】
グリップは、絶縁被覆されているとよい。これにより、工事現場等の過酷な使用環境において張線対象たる電線の被覆が傷付き、充電部が剥き出しになっていたとしても、グリップを介して短絡することを防止できる。
【発明の効果】
【００２０】
本発明によれば、良好な操作性を有し、被覆にダメージを与えることなく配電線を張線可能な張線器を提供し、配電線工事における安全確保および作業の効率化を図ることができる。
【図面の簡単な説明】
【００２１】
【図１】引込線の工事現場を示す図である。
【図２】張線器を説明する図である。
【図３】係留部材に係留され得るグリップおよびフックの例を示す図である。
【図４】張線器のバックルの構成を説明する図である。
【図５】張線器の使用態様図である。
【図６】張線器の他の例を示す図である。
【発明を実施するための形態】
【００２２】
以下に添付図面を参照しながら、本発明の好適な実施形態について詳細に説明する。係る実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２３】
[工事現場]
図１は、引込線４１４の工事現場を示す図である。図１に示すように、引込線４１４（ＤＶ線）は、一端が電柱４１０に取り付けられた低圧線４１２に、他端が住宅等の建物４２０の引込線取付点４１６に接続されている。そして、引込口配線４１８から電気メータ４２２を介して、低圧線４１２に流れる電気を建物４２０に引き込んでいる。なお、引込線４１４は、概して三縒線や二縒線やケーブルである。
【００２４】
引込線４１４の工事は、上述したように、例えば作業者がバケット車４６０のバケットに乗り、各家庭の２階付近に一端が固定された鋼縒線４２４にて引込線４１４を固定（連結）して行われる。本実施形態にかかる張線器１００は、このような固定（連結）作業等を簡潔容易かつ確実に行える効果を奏し得るものであり、以下にて詳述する。
【００２５】
[張線器]
図２は張線器１００を説明する図である。図２に示すように、張線器１００は、一方の固定部としてのグリップ１１０、他方の固定部としてのグリップ１１２、連結部としての第１張線ベルト１３０（第１連結部材）および第２張線ベルト１３２（第２連結部材）、引張保持部としてのバックル１４０から構成される。
【００２６】
グリップ１１０は、所定の剛性を有するステンレス銅線を螺旋状に曲折し、内側（張線対象たる電線と当接する部分）に摩擦増加剤を塗布して形成され、一端に設けられた屈曲部１１０ａにて第２張線ベルト１３２と連結する。グリップ１１０の寸法は、電線の内径や種類に応じて設定される。
【００２７】
グリップ１１０は、螺旋形状の本体を撓ませながら対象の電線に巻回することによって、摩擦力を利用して固定（保持）することができる。グリップ１１０に張力がかかると、グリップ１１０は伸びる方向に変形するため、螺旋の内径が絞られるように狭くなる。このため張力がかかると保持力（摩擦力）が飛躍的に増大し、電線が滑脱するおそれがなく（１４００Ｎ〜３０００Ｎ程度の引張力耐性）、被覆にダメージを与えずに電線を確実に保持することができる。
【００２８】
また、グリップ１１０は、樹脂にて絶縁被覆されている。これにより、工事現場等の過酷な使用環境において、電線の被覆が傷付き充電部が剥き出しになったとしても、グリップ１１０の短絡を防止できる。
【００２９】
グリップ１１２は、上述したグリップ１１０と基本的に同様の構成を有し、第１張線ベルト１３０と連結する。このグリップ１１２の寸法は、張線対象たる電線や鋼縒線４２４の内径や種類に応じて設定されるため、本実施形態では異なる寸法として記載している。ただし、電線の断線改修工事など、両側の張線対象が同程度の外径を有する線材である場合には、グリップ１１２をグリップ１１０と同じ寸法としてもよい（両側の固定部としてグリップ１１０を用いてもよい）。
【００３０】
第１張線ベルト１３０は、帯状のベルトである。第１張線ベルト１３０の一端には係留部材１３０ａを有し、グリップ１１２を着脱（交換）可能に連結している。また第１張線ベルト１３０の他端にはバックル１４０を有している。係留部材１３０ａにより、張線対象たる電線や周囲の任意の物体に応じて固定部を交換することができる。
【００３１】
図３は係留部材１３０ａに係留され得るグリップ１１２およびフック１２０の例を示す図である。上述したように、係留部材１３０ａにより、寸法の異なる螺旋状のグリップ１１２や、フック１２０（１２０ａ、１２０ｂ、１２０ｃ）に付け替えることが可能である。フック１２０としては、電柱４１０の足場ボルトに係留されるフック１２０ａ、従来の張線器に使用されてきたフック１２０ｂ、一般的に普及しているフック１２０ｃなど、図３に示したものに限らず様々なものを用いることができる。また、当然ながら、グリップ１１２を違う寸法のものに付け替えることも可能である。これにより、張線対象たる電線や周囲の任意の物体に適した固定部を、現場にあわせて適宜選択することができる。
【００３２】
図２を再び参照して、第２張線ベルト１３２は、帯状のベルトである。第２張線ベルト１３２の一端はグリップ１１０と連結し、他端はバックル１４０を挿通している。なお、第２張線ベルト１３２も第１張線ベルト１３０のように係留部材を取り付けて、グリップ１１０を着脱（交換）可能に形成してもよい。
【００３３】
バックル１４０は、第１張線ベルト１３０に取り付けられると共に第２張線ベルト１３２が挿通されており、第２張線ベルト１３２の異なる接続位置に移動可能である。故に、バックルの第２張線ベルト１３２に対する接続位置を変更することによって固定部（グリップ１１０、１１２）間の距離を設定することができ、グリップ１１０およびグリップ１１２が固定された電線を極めて容易に張線することができる。
【００３４】
図４は張線器１００のバックル１４０の構成を説明する図である。特に、図４（ａ）はバックル１４０の断面図、図４（ｂ）はグリップ１１０とグリップ１１２間の距離が広がる方向に第２張線ベルト１３２を引っ張ったときの状態を示す図、図４（ｃ）はグリップ１１０とグリップ１１２間の距離が狭まる方向に第２張線ベルト１３２を引っ張ったときの状態を示す図である。バックルとしてはベルトの穴にピンを挿入する一般的な構造であってもよいが、本実施形態ではベルトを引くと爪がベルトに引き込まれることによってその移動を規制する構造を有している。
【００３５】
図４（ａ）に示すように、バックル１４０は、枠体１４２、突当部１４４、爪１４６、ベルト固定部１４７、弾性バネ１４８から構成される。ベルト固定部１４７には、第１張線ベルト１３０が固定的に取り付けられる（図４では不図示）。そして、これらの構成要素は、第２張線ベルト１３２に対する接続位置の移動を、グリップ１１０とグリップ１１２の間の距離が狭まる方向のみに制限する１方向制限機構を形成する。
【００３６】
即ち、枠体１４２の内部には、頑丈な突起物である爪１４６が突当部１４４にもたれ掛かるように配置されていて、第２張線ベルト１３２はこの突当部１４４と爪１４６の間に挿通される。この爪１４６は支点１４６ａを中心として回動可能であるが、弾性バネ１４８が突当部１４４にもたれ掛かるように常時押圧している。
【００３７】
故に、図４（ｂ）に示すように、グリップ１１０とグリップ１１２の間の距離が狭まる方向以外に第２張線ベルト１３２を移動させようとすると、爪１４６が突当部１４４に引っかかる（食い込む）方向にベクトルが生じるため移動させることができない。これにより、自重により、張線対象たる電線が弛んでしまうことを防止できる。逆に、図４（ｃ）に示すように、グリップ１１０とグリップ１１２の間の距離が狭まる方向に移動させようとすると、爪１４６が突当部１４４から離間する方向にベクトルが生じるため第２張線ベルト１３２を移動させることができる。
【００３８】
一方、人為的に弾性バネ１４８を押圧して、突当部１４４と爪１４６の当接を解けば、グリップ１１０とグリップ１１２の間の距離を広げる方向に第２張線ベルト１３２を移動させることもできる。
【００３９】
なお、例えば、突当部１４４を回転可能ないわゆるローラとして形成すれば、張線作業の際に要する力を低減できる。
【００４０】
以上説明したように、本実施形態にかかる張線器１００によれば、電線（引込線）を巻回して固定する方式を採用したため、被覆にダメージを与えてしまうおそれを排除できる。更に、帯状の第１張線ベルト１３０や第２張線ベルト１３２、或いはバックル１４０を採用して軽量化を図ったため（全体重量およそ３００ｇ）、高所作業においても容易に取り扱うことができる。
【００４１】
図５は張線器１００の使用態様図である。特に、図５（ａ）は引込線４１４の改修工事における張線器１００の使用態様図、図５（ｂ）は引込線４１４の撤去工事における張線器１００の使用態様図である。なお引込線４１４および鋼縒線４２４は実際には縒線であるが、図では簡略化して１本の太線で示している。
【００４２】
図５（ａ）に示すように、引込線４１４改修工事においては、引込線４１４と鋼縒線４２４を張線するので、張線器１００は係留部材１３０ａに鋼縒線用のグリップ１１２を連結する。そして、張線器１００のグリップ１１０、１１２によって引込線４１４、鋼縒線４２４を巻回して固定し、第２張線ベルト１３２の挿通片を引っ張ることによってグリップ１１０、１１２間の距離を狭める。このように極めて容易な操作で張線することができ、取り付けた後は両手が空いた状態で作業（引込線の切断、接続、配電線との接続など）を行うことができる。
【００４３】
図５（ｂ）に示すように、撤去工事においては引込線４１４を切断するが、切断した引込線４１４を電柱４１０によって保持することができる。そこで、張線器１００の係留部材１３０ａには、電柱４１０の足場ボルトに係留するフック１２０ａを連結する。そして、張線器１００のグリップ１１０を引込線４１４に巻回し、フック１２０ａを電柱４１０に係止して、第２張線ベルト１３２の挿通片を引っ張って張線する。このように張線することで、引込線４１４の電柱４１０の支持点近傍の張力を弱めることができ、切断作業が容易となる。
【００４４】
図６は張線器の他の例を示す図である。特に、図６（ａ）は棒状の連結部材２３０を有する張線器２００を示す図、図６（ｂ）はラチェット機構を有する張線器３００を示す図である。
【００４５】
上記実施形態においては、２つの固定部を連結する連結部として、第１張線ベルト１３０および第２張線ベルト１３２を例に用いて説明した。しかし本発明はこれに限定するものではなく、剛性を有する連結部を用いてもよい。
【００４６】
図６（ａ）に示す連結部材２３０は、剛体の棒状をなし、固定部（グリップ１１２）を接続する係留部２３０ａと、直線的なギヤを有するラック部２３０ｂとから構成されている。ラック部２３０ｂには引張保持部の例としての移動ブロック２４０が移動可能にとりつけられている。移動ブロック２４０は円環状の係留部２４０ａを有し、固定部（グリップ１１０）を接続することができる。また移動ブロック２４０は内部にラチェット機構を有し、リリースボタン２４２を押し込むことによってラチェット機構を開放することができる。したがって移動ブロック２４０を連結部材２３０に沿って移動させることにより、固定部間の距離を短縮させることができ、引込線４１４を張線することができる。
【００４７】
図６（ｂ）に示す張線器３００は、上記実施形態のバックル１４０に代えて、ラチェット機構を利用するものである。ラチェットハンドル３４０は、第１張線ベルト１３０を固定的に接続し、第２張線ベルト１３２を２つのローラの間に挟み込むことによって保持している。これらのローラはハンドル３４２を開閉することによって一方向に強制的に回転させることができ、第２張線ベルト１３２を強い力で引き込むことができる。これにより、張線作業に要する力を更に低減することができる。ラチェットハンドル３４０は重くなりがちであるが、主要な金属部品はローラおよびラチェット機構のみであるため、従来の張線器に比較して飛躍的に軽量化を図ることができる。
【００４８】
以上、本発明の好適な実施形態について詳細に説明したが、本発明は係る実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４９】
本発明は、架空線工事等において電線を引っ張って保持する張線器にとして利用することができる。
【符号の説明】
【００５０】
１００、２００、３００…張線器、１１０…グリップ、１１０ａ…屈曲部、１１２…グリップ、１２０（１２０ａ、１２０ｂ、１２０ｃ）…フック、１３０…第１張線ベルト、１３２…第２張線ベルト、１４０…引張保持部、１４２…枠体、１４４…突当部、１４６…爪、１４７…ベルト固定部、１４８…弾性バネ、２３０…連結部材、２３０ａ…係留部、２３０ｂ…ラック部、２４０…移動ブロック、２４０ａ…係留部、２４２…リリースボタン、３４０…ラチェットハンドル、３４２…ハンドル、４１０…電柱、４１２…低圧線、４１４…引込線、４１６…引込線取付点、４１８…引込口配線、４２０…建物、４２２…電気メータ、４２４…鋼縒線、４６０…バケット車
【図１】
2010220322.tif 000003
【図２】
2010220322.tif 000004
【図３】
2010220322.tif 000005
【図４】
2010220322.tif 000006
【図５】
2010220322.tif 000007
【図６】
2010220322.tif 000008